(57)【要約】【課題】包装袋内に収納した物品の取出しを容易にする。【解決手段】六面体の箱形をなし、複数の使い捨ておむつ２０を上下二段に並べて収納する包装袋１０であって、前記側面パネル１４は、その周面に前記包装体１０を二つの物品（使い捨ておむつ２０）収納部に分離する切断線１４ａを備え、包装体１０を切断線１４ａで切断して前記二つの収納部に展開したとき、露出する物品２０の蓋又はカバーとして機能するパネル１８ａ、１８ｂを前記側面パネル１４の内側に備えた。【選択図】           図１
2006290357.tif 000002
【特許請求の範囲】
【請求項１】
底面パネルと、上面パネルと、その一端側で前記底面パネルとまた他端側で前記上面パネルと一体に形成された側面パネルとからなり、複数の物品を並べて収納する包装体であって、
前記側面パネルには、前記包装体を二つの物品収納部に分離する切断線を設け、かつ、前記切断線を切断して前記各物品収納部に展開したとき、前記物品収納部の蓋又はカバーとなるパネルを前記側面パネルの内側に備えたことを特徴とする包装体。
【請求項２】
請求項１に記載された包装体において、
前記包装体は、複数の物品を上下二段に並べて収納する包装体であり、かつ、前記切断線は、前記包装体を上段の物品を収納する収納部と、下段の物品を収納する収納部に分離することを特徴とする包装体。
【請求項３】
請求項１に記載された包装体において、
前記包装体は、複数の物品を横一段に並べて収納する包装体であり、かつ、前記切断線は、前記包装体を横方向一方側の物品を収納する収納部と、他方側の物品を収納する収納部に分離することを特徴とする包装体。
【請求項４】
請求項１ないし３のいずれかに記載された包装体において、
前記切取線は前記側面パネルの一部を残してその周面に設けられ、前記切断線で切断したとき、前記包装体は前記側面パネルの前記残した一部の周りに展開可能であることを特徴とする包装体。
【請求項５】
請求項４に記載された包装体において、
前記切断線は、前記側面パネルを切断及び／又は所定間隔で帯状に切り取り可能に設けられていることを特徴とする包装体。
【請求項６】
請求項４に記載された包装体において、
前記切断線は、前記側面パネルを所定の間隔で帯状に切り取り可能に設けられており、かつ前記包装体を展開したとき、前記側面パネルの前記切り残した一部のパネルで取手を形成することを特徴とする包装体。
【請求項７】
請求項１ないし６のいずれかに記載された包装体において、
前記側面パネルは物品取出し口を形成する切断線を備えていることを特徴とする包装体。
【請求項８】
請求項１ないし７のいずれかに記載された包装体において、
前記各パネルが柔軟な材料で形成されていることを特徴とする包装体。
【請求項９】
請求項１ないし８のいずれかに記載された包装体において、
前記物品が吸収性物品であることを特徴とする包装体。
【発明の詳細な説明】
【技術分野】
【０００１】
本発明は、物品を収納する包装体に関し、特に、複数の物品を収納したときに、その物品を収納したまま物品間で切断して、切断線を中心に展開してその両側に収納された物品を露出させて取出し可能にする包装体に関する。
【背景技術】
【０００２】
従来、物品、例えば使い捨ておむつなどのように軽く、柔軟な物品は複数重ねて圧縮或いは非圧縮状態で包装体に収容しユーザに提供されている。
例えば、おむつなどの弾力性物品をポリエチレンシートなどの柔軟な材料でできたバッグに圧縮して多段に収納し、その際、収納する物品の変形を防止するなどのために、各段毎に、つまり収納する上段と下段の物品の間に安定化仕切を挿入してシールしたものが知られている（特許文献１）。
【０００３】
このように多数の物品を収納したバッグ或いは包装体から物品を取り出すのは通常は密封された取出し口を開いてそこから一つづつ取り出すことが行われている。
しかし、複数の物品を重ねて収容している前記特許文献１に記載されたバッグのような場合、収納した状態では各物品はバック内に隠れているため見難く、取出し口から一つづつ取り出すには不便である。
そこで、カバーを切り開いて物品を露出させると、物品は取出し易くはなるものも、物品が散乱する虞があるばかりではなく、露出するため汚れる等の問題がある。
【特許文献１】特開昭６１−１２７４４８号公報
【発明の開示】
【発明が解決しようとする課題】
【０００４】
本発明は、従来の包装体の上記問題に鑑みなされたものであって、その目的は、収納した物品を取り出し易くすることであり、とくに、包装体の側面パネルを一部切断して展開し、内部に収納された物品を露出した状態で左右に並べる配置に変え、しかも露出した物品に汚れ等が付着するのを防止できるようにすることである。
【課題を解決するための手段】
【０００５】
本発明は、底面パネルと、上面パネルと、その一端側で前記底面パネルとまた他端側で前記上面パネルと一体に形成された側面パネルとからなり、複数の物品を収納する包装体であって、前記側面パネルには、前記包装体を二つの物品収納部に分離する切断線を設け、かつ、前記切断線を切断して前記各物品収納部に展開したとき、前記物品収納部の蓋又はカバーとなるパネルを前記側面パネルの内側に備えたことを特徴とする。
【発明の効果】
【０００６】
本発明によれば、包装体を切断線に沿って切断展開することで、収納された物品を露出させることができるから、各物品の取出しが容易であると共に、蓋又はカバー体を側面パネル内側に設けたため、露出した物品が汚れる虞もない。
【発明を実施するための最良の形態】
【０００７】
本発明の実施形態を図面を参照して説明する。
図１Ａは本発明の包装体の一実施形態である包装袋の斜視図、図１Ｂはその縦断面図であり、図２はその展開図である。
本実施形態に係る包装袋１０は、それぞれ一体に構成された矩形の底面パネル１２と、矩形枠状をなす４辺の側面パネル１４と，矩形の上面パネル１６とからなる六面体のボックス状に形成されている。底面パネル１２及び上面パネル１６には、後記するように包装袋１０を切断線に沿って切断して、前記包装体１０を上段の物品収納部と下段の物品収納部とに分離展開したときに、それぞれ収納部に収納された上段の使い捨ておむつ２０と下段の使い捨ておむつ２０の蓋又はカバー体となるパネル１８ａ、１８ｂが一体に形成されて側面パネル１４の内側に配置されている。
即ち、図１Ｂに示すように、前記パネル１８ａ、１８ｂは側面パネル１４の図示上下端から続く上面パネル１６及び底面パネル１２とそれぞれ一体に形成されており、側面パネル１４の一側面の内側に互いに重なりあった状態で配置されている。
【０００８】
また、この上段及び下段の使い捨ておむつ２０が接触する位置近傍には、ミシン目からなる切断線１４ａが、ここでは４辺の側面パネルの３辺に形成されている。なお、切断線１４ａはミシン目に限らず、単にその部分が容易に切断できる構造であればよく、その部分を他の部分より薄く形成し切断し易くしたものであっても、或いは後述するように切断線に沿ってティアラインテープを貼り付けたものでもよい。
なお、１６ａは立ち上がり片を示し、この立ち上がり片１６ａにスリットを形成するか或いは切断線を形成してその切断線に沿って切り抜くことにより、取手が形成される。
【０００９】
図２は、以上で説明した包装袋１０の展開図である。
包装袋１０は、図示のように、ここでは、例えばポリエチレンシートなどの柔軟な材料で形成された矩形の主体部分と帯状のパネルからなる略十字型形状のブランクから構成されている。
ここで、矩形の主体部分は、底面パネル１２と、側面パネル１４と、上面パネル１６を形成するためのものであり、この主体部分から図中両側方向に延びた幅の狭い帯状のパネルは、それぞれ蓋又はカバー体用パネル１８ａ、１８ｂ部分である。
【００１０】
また、矩形の主体部分の周りのスペースは、例えばヒートシール、接着剤等の適当な手段で接合される糊代部分ｃであり、包装袋１０は、各折れ線Ｂを山折りして六面体に形成され、仕切用パネル１８ａ、１８ｂは、図２の状態から上面パネル１６、底面パネル１２、側面パネル１４と重なるように折り返される。      
【００１１】
このように形成された包装袋１０内の下段に複数の使い捨ておむつ２０を並べて圧縮或いは非圧縮状態で、かつ開封時の抜き取り方向を考慮して折り曲げた使い捨ておむつ２０の方向を揃えて、つまりその一側面を上側にして収納する。続いて上段の使い捨ておむつ２０を前記下段の使い捨ておむつ２０と向かい合わせになるように、つまり、その一側面を下側にして配置する。
【００１２】
この包装袋１０内に収納した使い捨ておむつ２０の取出しは次のようにして行う。
即ち、先ず、側面パネル１４を前記切断線１４ａに沿って切断する。つまり、側面パネル１４の四辺のうち三辺を切断して前記包装袋１０を二分割し、一方を側面パネル１４の切断していない辺の周りで展開し、即ち１８０゜折り返すことで、図３Ａに示すように、上段及び下段の使い捨ておむつ２０を、その折り曲げた一側面を上にして露出させて収納する収納部１０ａ、１０ｂを形成することができる。
その際、前記蓋又はカバー用パネル１８ａ、１８ｂは、それぞれ露出した使い捨ておむつ２０を覆うように延在しているから、これらの使い捨ておむつ２０のカバー体として機能する。
なお、図３Ｂは側面パネルを切断した後、一方を側面パネル１４の切断していない辺の周りで展開し始めた状態を、また、図３Ｃは１８０゜折り返した状態を説明した包装袋１０の断面図である。
【００１３】
本実施形態によれば、上下２段に収納した使い捨ておむつ２０は、包装袋１０を２分割して開くことにより、横に並んだ状態でその全てが同じ側面を上にして露出し、しかも個々の使い捨ておむつ２０は、切断した上下の包装体１０中に収容された状態を保っているから、見やすくかつ取り出したときにも荷崩れ等を起こすことがなく取出しが容易である。また、蓋又はカバー用パネル１８ａ、１８ｂが、それぞれの使い捨ておむつの上面を覆い、そのままカバー体として機能するから、露出した使い捨ておむつが汚れるのを防止できる。
【００１４】
次に、包装体１０の第２の実施形態について説明する。
図４は、第２の実施形態に係る包装体を示し、図４Ａはその製品状態の、また図４Ｂは開封した状態を示す斜視図である。
この実施形態では、切断線１４ａは、図４Ａに示すように、前記側面パネル１４を所定の間隔ｔで帯状に切り取り可能に設けられており、従って、側面パネル１４の一辺を残して側面パネル１４の一部を切り取り、かつ図４Ｂに示すように、前記包装体を展開したとき、前記側面パネルの前記切り残した部分を細長い矩形状部分１４ｂとして残し、この部分に例えば、スリットを形成するか或いは切断線を形成してその切断線に沿って切り抜くことにより、取手１４ｃを形成することができ、これにより開封状態における包装袋１０の移動が容易となる。
【００１５】
図５は、包装体の第３の実施形態に係る包装袋１０の斜視図である。この実施形態では、切断線１４ａは側面パネル１４を単に切断する部分１４ａ（１）と帯状にパネルを切り取るように所定間隔を隔てて配置された部分１４ａ（２）とからなっている。この帯状パネルの切り取り線は、前記仕切用パネルとは重ならない辺面に形成することが好ましい。
このように、側面パネル１４の切断時に帯状パネルの一部を所定幅で切り取るようにすることで、単に切断線のみを設けた場合に比して開封がし易くなる。
【００１６】
図６は、包装体の第４の実施形態に係る包装袋１０の斜視図である。本実施形態では、包装袋１０の側面パネル１４に上段及び下段に収納された使い捨ておむつ２０に対応した取出し口３０が設けられている。
このように取出し口３０を設けることで、包装袋１０の保管場所等を考慮して適宜取出し方法を自由に選択することができる。
【００１７】
図７Ａは、包装体の第５の実施形態に係る包装袋１０の斜視図、図７Ｂはその横縦断面図、図７Ｃは、切断線に沿って切断した後、包装袋１０を切断線に沿って展開を開始した状態を、また、図７Ｄは展開を終了したときの包装袋１０を示す横断面図である。
本実施形態に係る包装袋１０も、以上で説明した包装袋と同様に、それぞれ一体に構成されたそれぞれ矩形の底面パネル１２と、前後左右の側面パネル１４と，上面パネル１６とからなる六面体のボックス状に形成されているが、中に収納された使い捨ておむつは、図７Ｂに示すように横一段に並べて配置されている。
【００１８】
また、図７Ａに示すように、包装袋１０の横方向中央部には、ミシン目からなる切断線１４ａが、図中前後の側面パネル１４と上面パネル１６の３辺に連続して形成されている。
なお、切断線１４ａはミシン目に限らず、単にその部分が容易に切断できる構造であればよく、その部分を他の部分より薄く形成し切断し易くしたものであってもよいし、後述するように切断線に沿ってティアテープを貼り付けたものでもよい。
【００１９】
また、１４ｄは側面パネル１４に設けた立ち上がり片を示し、この立ち上がり片１４ｄにスリットを形成するか或いは切断線を形成してその切断線に沿って切り抜くことにより、取手が形成される。
【００２０】
さらに、包装袋１０を前記切断線１４ａに沿って切断し、図示左側の物品収納部と右側の物品収納部とに分離展開したとき、それぞれの収納部に収納された使い捨ておむつ２０の蓋又はカバー体となるパネル１８ａ、１８ｂが図示左右の側面パネル１４と一体に形成されている。
即ち、図７Ｂに示すように、前記パネル１８ａ、１８ｂは図示左右上側側面パネル１４にそれぞれ一体に形成され、上面パネル１６の内側に互いに重なりあった状態で配置されている。
【００２１】
以上の構成からなる包装体を、図７Ｃに示すように前記切断線１４ａに沿って切断し、かつ切り残した底面パネル１２の中央部の周りで展開を開始し、図７Ｄに示すように完全に展開し終わると、包装袋１０は使い捨ておむつを上下に積み上げた二個の収納容器１０ａ、１０ｂに形成される。
この状態では最上位の使い捨ておむつが露出するので、上からひとつずつ取り出すことができる。その際、最上位の使い捨ておむつ２０は、蓋又はカバー体となるパネル１８ａ、１８ｂで覆われるため埃やゴミが付着することがない。
なお、立ち上がり片を上面パネル１６に設け、これに取手を形成することもできる。その場合、切断線となるミシン目１４ａは上面パネル１６に連続してその立ち上がり片の長手方向中央部にも形成することになる。
【００２２】
前記切断線は、図４Ａに示したように、所定の間隔ｔで帯状に切り取り可能に設けてもよいし、かつ包装袋を展開したときに、図４Ｂに関連して説明したように、前記切り残した前記底面パネルに取手を形成することもできる。更に、図５に関連して説明したように、切断線をパネルを単に切断する部分と、帯状にパネルを切り取るように所定間隔を隔てて配置だれた切断部分とから構成することもでき、かつ側面パネル１４に使い捨ておむつの取出口を設けることもできる。
【００２３】
以上の実施形態では、包装袋１０は六面体として説明したが、その形状はこれに限らず、円形、楕円形等、中に収容する物品の形状により自由に設定することができる。
また、前記切断線は、図８Ａのように細巾ｄを隔てて平行に形成し、かつ図８Ｂに示すように、切り取りを容易にするために一部切れ目Ｃを入れて細巾部の一部を引き手に形成しておくこともできる。また、図８Ｃに示すようにティアテープＴを切断すべきパネルの周りに貼り付けておき、そのティアテープＴを引き剥がし包装体のパネルを切断することもできる。
【図面の簡単な説明】
【００２４】
【図１】図１Ａは本発明の実施形態に係る包装袋の斜視図、図１Ｂはその縦断面図である。
【図２】第１の実施形態に係る包装袋の展開図である。
【図３】図３Ａは第１の実施形態の包装袋の開封状態を示す斜視図であり、かつ図３Ｂは側面パネルを切断した後、一方を側面パネル１４の切断していない辺の周りで展開し始めた状態を、また、図３Ｃは１８０゜折り返した状態を説明した包装袋１０の断面図である。
【図４】図４Ａは第２の実施形態の包装袋の封止状態の斜視図であり、かつ図４Ｂは開封状態の斜視図である。
【図５】第３の実施形態の封止状態における包装袋の斜視図である。
【図６】第４の実施形態の封止状態における包装袋の斜視図である。
【図７】第５の実施形態の封止状態における包装袋の斜視図である。
【図８】包装袋の切断構造を説明する拡大図である。
【符号の説明】
【００２５】
１０・・・包装袋、１２・・・底面パネル、１４・・・側面パネル、１４ａ・・・切断線、１６・・・上面パネル、１８・・・蓋又はカバー用パネル、２０・・・使い捨ておむつ、３０・・・取出し口
【図１】
2006290357.tif 000003
【図２】
2006290357.tif 000004
【図３】
2006290357.tif 000005
【図４】
2006290357.tif 000006
【図５】
2006290357.tif 000007
【図６】
2006290357.tif 000008
【図７】
2006290357.tif 000009
【図８】
2006290357.tif 000010